(57)【要約】【課題】内線電話端末で利用者が自分宛てメールの受信確認を行えるようにする。【解決手段】電話制御装置１０において、メール管理部２３により、データ通信網５０を介してメールサーバ５１へ接続して、設定情報に予め登録されているメールアドレスへ届いているメールを受信し、これら受信メールのメールアドレスと対応する内線電話端末３０を設定情報に基づき特定し、電話制御部１３により、メール管理部２３で特定した内線電話端末３０に対してメール受信表示を指示することにより、当該内線電話端末３０で利用者へメール受信を通知するためのメール受信表示を行う。【選択図】  図１
2012227698.tif 000002
【特許請求の範囲】
【請求項１】
内線回線を介して接続した複数の内線電話端末を電話網に対して交換接続することにより、当該電話網を介した前記内線電話端末による通話を実現する電話制御装置であって、
前記内線電話端末に固有の端末識別情報ごとに、当該内線電話端末を利用する利用者のメールアドレスが登録されている設定情報と、
データ通信網を介してメールサーバへ接続して、前記設定情報に登録されているメールアドレスへ届いているメールを受信し、これら受信メールのメールアドレスと対応する前記内線電話端末を前記設定情報に基づき特定するメール管理部と、
前記メール管理部で特定した前記内線電話端末に対してメール受信表示を指示することにより、当該内線電話端末で利用者へメール受信を通知するためのメール受信表示を行う電話制御部と
を備えることを特徴とする電話制御装置。
【請求項２】
請求項１に記載の電話制御装置において、
前記メール管理部は、前記内線電話端末から利用者操作に応じて送信されたメール閲覧要求に応じて、前記受信メールのうちから当該内線電話端末と対応するメールアドレスのメールを検索し、
前記電話制御部は、当該内線電話端末に対して前記メール管理部で検索した前記メールを含むメール画面表示を指示することにより、当該内線電話端末で前記メールを画面表示する
ことを特徴とする電話制御装置。
【請求項３】
請求項１または請求項２に記載の電話制御装置において、
前記メール管理部は、前記内線電話端末から利用者操作に応じて送信されたメール設定指示に応じて、前記設定情報のうち当該内線電話端末の端末識別情報に対して登録されている、メールアドレス、パスワード、またはメール確認契機を新たに設定登録することを特徴とする電話制御装置。
【請求項４】
請求項１〜請求項３のいずれか１つに記載の電話制御装置において、
前記メール管理部で受信した前記受信メールの内容を確認して不正メールを判定するメールチェック処理部をさらに備え、
前記電話制御部は、前記受信メールのうちのいずれかのメールが前記メールチェック処理部で不正メールと判定された場合、前記メール管理部で特定した当該不正メールと対応する前記内線電話端末に対して不正メール受信表示を指示することにより、当該内線電話端末で利用者へ不正メール受信を通知するための不正メール受信表示を行う
ことを特徴とする電話制御装置。
【請求項５】
請求項１〜請求項４のいずれか１つに記載の電話制御装置において、
前記メール管理部は、通信回線を介して接続された利用者端末から利用者操作に応じて送信されたメール取得要求に応じて、前記データ通信網を介して前記メールサーバへ接続して、当該メール取得要求で指定されたメールアドレスへ届いているメールを新たに受信し、これら新たな受信メールとそれまでに受信して蓄積しておいた前記受信メールのうち当該メールアドレスのメールとを、前記通信回線を介して当該利用者端末へ転送することを特徴とする電話制御装置。
【請求項６】
請求項１〜請求項５のいずれか１つの電話制御装置と、内線回線を介して前記電話制御装置に接続された複数の内線電話端末とを含むことを特徴とする電話システム。
【請求項７】
内線回線を介して接続した複数の内線電話端末を電話網に対して交換接続することにより、当該電話網を介した前記内線電話端末による通話を実現する電話制御装置で用いられる電話制御方法であって、
設定記憶部が、前記内線電話端末に固有の端末識別情報ごとに、当該内線電話端末を利用する利用者のメールアドレスが登録されている設定情報を記憶するステップと、
メール管理部が、データ通信網を介してメールサーバへ接続して、前記設定情報に登録されているメールアドレスへ届いているメールを受信し、これら受信メールのメールアドレスと対応する前記内線電話端末を、前記設定情報に基づき特定するメール管理ステップと、
電話制御部が、前記メール管理ステップで特定した前記内線電話端末に対してメール受信表示を指示することにより、当該内線電話端末で利用者へメール受信を通知するためのメール受信表示を行う電話制御ステップと
を備えることを特徴とする電話制御方法。
【発明の詳細な説明】
【技術分野】
【０００１】
本発明は、電話システムに関し、特に電話システムに内線接続されている電話端末で、インターネット上のメールサーバに蓄積されているメールを確認するための電話制御技術に関する。
【背景技術】
【０００２】
複数の内線電話端末を電話網に対して交換接続するボタン電話装置やＰＢＸなどの電話制御装置を備える電話システムでは、電子メールサービスとの連携が検討されつつある。
従来、このような電話システムにおいて、インターネット上のメールサーバに蓄積されているメールを確認する技術として、内線電話端末に対してＰＣ端末を対応付けて設置し、内線電話端末で電話通信を行った際、電話制御装置から電子メールセンタへ、当該電話通信の発信電話番号や着信電話番号を通知し、電子メールセンタで、通知された電話番号と対応する利用者のメールをメールボックスから読み出して、利用者と対応するＰＣ端末へ転送する技術が提案されている（例えば、特許文献１など参照）。
【先行技術文献】
【特許文献】
【０００３】
【特許文献１】特開平０７−０９９５０８号公報
【発明の概要】
【発明が解決しようとする課題】
【０００４】
しかしながら、このような従来技術では、予め内線電話端末ごとに対応付けてＰＣ端末を設置しておき、このＰＣ端末を操作して電子メールセンタへアクセスする必要があるため、利用者が自分宛てメールの受信確認を行う際、迅速にメールの受信確認を行うことができないという問題点があった。
【０００５】
ＰＣ端末を用いて利用者が自分宛てのメールが届いているかどうかを確認する場合、まずＰＣ端末に電源を投入してＯＳを立ち上げ、この立ち上げ完了後にＰＣ端末のメールソフトを起動して電子メールセンタに接続し、電子メールセンタに蓄積されているメールを確認するという手順で行う。この際、ＯＳの立ち上げには、ある程度の時間を要する。このため、メール内容の確認ではなくメールの受信有無を確認するだけであっても、迅速に確認することができない。したがって、例えば電話相手との通話途中で、メールの受信確認が必要となった場合には、相手を待たせて受信確認する必要があった。また、ＰＣ端末を常時起動しておくことも考えられるが、省エネなどの面から得策とは云えない。
【０００６】
本発明はこのような課題を解決するためのものであり、内線電話端末で利用者が自分宛てメールの受信確認を行うことができる電話制御技術を提供することを目的としている。
【課題を解決するための手段】
【０００７】
このような目的を達成するために、本発明にかかる電話制御装置は、内線回線を介して接続した複数の内線電話端末を電話網に対して交換接続することにより、当該電話網を介した内線電話端末による通話を実現する電話制御装置であって、内線電話端末に固有の端末識別情報ごとに、当該内線電話端末を利用する利用者のメールアドレスが登録されている設定情報と、データ通信網を介してメールサーバへ接続して、設定情報に登録されているメールアドレスへ届いているメールを受信し、これら受信メールのメールアドレスと対応する内線電話端末を設定情報に基づき特定するメール管理部と、メール管理部で特定した内線電話端末に対してメール受信表示を指示することにより、当該内線電話端末で利用者へメール受信を通知するためのメール受信表示を行う電話制御部とを備えている。
【０００８】
この際、メール管理部で、内線電話端末から利用者操作に応じて送信されたメール閲覧要求に応じて、受信メールのうちから当該内線電話端末と対応するメールアドレスのメールを検索し、電話制御部で、当該内線電話端末に対してメール管理部で検索したメールを含むメール画面表示を指示することにより、当該内線電話端末でメールを画面表示するようにしてもよい。
【０００９】
また、メール管理部で、内線電話端末から利用者操作に応じて送信されたメール設定指示に応じて、設定情報のうち当該内線電話端末の端末識別情報に対して登録されている、メールアドレス、パスワード、またはメール確認契機を新たに設定登録するようにしてもよい。
【００１０】
また、メール管理部で受信した受信メールの内容を確認して不正メールを判定するメールチェック処理部をさらに備え、電話制御部で、受信メールのうちのいずれかのメールがメールチェック処理部で不正メールと判定された場合、メール管理部で特定した当該不正メールと対応する内線電話端末に対して不正メール受信表示を指示することにより、当該内線電話端末で利用者へ不正メール受信を通知するための不正メール受信表示を行うようにしてもよい。
【００１１】
また、メール管理部で、通信回線を介して接続された利用者端末から利用者操作に応じて送信されたメール取得要求に応じて、データ通信網を介してメールサーバへ接続して、当該メール取得要求で指定されたメールアドレスへ届いているメールを新たに受信し、これら新たな受信メールとそれまでに受信して蓄積しておいた受信メールのうち当該メールアドレスのメールとを、通信回線を介して当該利用者端末へ転送するようにしてもよい。
【００１２】
また、本発明にかかる電話システムは、前述したいずれか１つの電話制御装置と、内線回線を介して電話制御装置に接続された複数の内線電話端末とを含む。
【００１３】
また、本発明にかかる電話制御方法は、内線回線を介して接続した複数の内線電話端末を電話網に対して交換接続することにより、当該電話網を介した内線電話端末による通話を実現する電話制御装置で用いられる電話制御方法であって、設定記憶部が、内線電話端末に固有の端末識別情報ごとに、当該内線電話端末を利用する利用者のメールアドレスが登録されている設定情報を記憶するステップと、メール管理部が、データ通信網を介してメールサーバへ接続して、設定情報に登録されているメールアドレスへ届いているメールを受信し、これら受信メールのメールアドレスと対応する内線電話端末を、設定情報に基づき特定するメール管理ステップと、電話制御部が、メール管理ステップで特定した内線電話端末に対してメール受信表示を指示することにより、当該内線電話端末で利用者へメール受信を通知するためのメール受信表示を行う電話制御ステップとを備えている。
【発明の効果】
【００１４】
本発明によれば、内線電話端末でのメール受信表示により、利用者が自分宛てメールの受信確認を行うことができる。したがって、メール受信確認の際、内線電話端末に併設したＰＣ端末に電源を投入してＯＳを立ち上げて、メールサーバに接続する必要がなくなるため、ＯＳの立ち上げに要する時間を待つことなく、メール受信有無を迅速に確認することができる。このため、例えば電話相手との通話途中で、メールの受信確認が必要となった場合でも、相手を待たせて受信確認する必要がなくなる。また、ＰＣ端末を常時起動しておくことも不要となり、省エネを推進することも可能となる。
【図面の簡単な説明】
【００１５】
【図１】第１の実施の形態にかかる電話システムの構成を示すブロック図である。
【図２】設定情報の構成例である。
【図３】第１の実施の形態にかかる電話制御装置のメール処理動作を示すシーケンス図である。
【図４】第２の実施の形態にかかる電話制御装置の設定処理動作を示すシーケンス図である。
【図５】第３の実施の形態にかかる電話制御装置の構成を示すブロック図である。
【図６】第３の実施の形態にかかる電話制御装置のメール処理動作を示すシーケンス図である。
【図７】第４の実施の形態にかかる電話制御装置の構成を示すブロック図である。
【図８】第４の実施の形態にかかる電話制御装置のメール転送動作を示すシーケンス図である。
【発明を実施するための形態】
【００１６】
次に、本発明の実施の形態について図面を参照して説明する。
［第１の実施の形態］
まず、図１を参照して、本発明の第１の実施の形態にかかる電話システム１について説明する。図１は、第１の実施の形態にかかる電話システムの構成を示すブロック図である。
【００１７】
電話システム１は、ボタン電話システムやＰＢＸシステムなどの電話システムからなり、内線回線Ｌ３を介して接続した複数の内線電話端末３０と、これら内線電話端末３０を、電話回線Ｌ１を介して電話網４０に交換接続することにより、電話網４０を介した内線電話端末３０による通話を実現する電話制御装置１０とから構成されている。
電話制御装置１０は、通信回線Ｌ２を介してデータ通信網５０上のメールサーバ５１に接続して、メールサーバ５１に蓄積されているメールを取得する機能を有している。
【００１８】
電話網４０は、公衆電話網（ＰＳＴＮ）、ＩＳＤＮ網、さらにはＩＰ電話網など、有線通信により音声通話やデータ通信が可能な通信網である。
データ通信網５０は、インターネットに代表されるパケット網からなり、パケット通信によりメールの送受信が可能な通信網である。
メールサーバ５１は、データ通信網５０の接続サービスを提供する接続サービスプロバイダなどが運営するメール管理装置である。
【００１９】
本実施の形態は、データ通信網５０を介してメールサーバ５１へ接続して、設定情報に予め登録されているメールアドレスへ届いているメールを受信し、これら受信メールのメールアドレスと対応する内線電話端末を設定情報に基づき特定し、特定した内線電話端末３０に対してメール受信表示を指示することにより、当該内線電話端末３０で利用者へメール受信を通知するためのメール受信表示を行うようにしたものである。
【００２０】
［電話制御装置］
次に、図１を参照して、本実施の形態にかかる電話システム１の電話制御装置１０について説明する。
電話制御装置１０は、ボタン電話システムの主装置、ＰＢＸ、さらにはＩＰ電話サーバなどの電話制御装置からなり、内線回線Ｌ３を介して接続した複数の内線電話端末３０を電話網４０に対して交換接続することにより、電話網４０を介した内線電話端末３０による通話を実現する機能と、内線回線Ｌ３を介して内線電話端末３０へ制御コマンドを送信することにより、当該内線電話端末３０での表示や動作を制御する機能とを有している。
【００２１】
電話制御装置１０には、主な機能部として、電話Ｉ／Ｆ部１１、内線Ｉ／Ｆ部１２、電話制御部１３、およびメール処理装置２０が設けられている。
【００２２】
電話Ｉ／Ｆ部１１は、専用の通信回路を有し、電話網４０からの電話回線Ｌ１を介して、電話網４０や相手電話端末（図示せず）との間で、各種呼制御メッセージや音声通話のための音声信号または音声データをやり取りする機能を有している。
内線Ｉ／Ｆ部１２は、専用の通信回路を有し、ＬＡＮや内線伝送路などの内線回線Ｌ３を介して内線電話端末３０との間で、各種制御コマンドや音声通話のための音声データをやり取りする機能を有している。
【００２３】
電話制御部１３は、プログラムを実行して動作するＣＰＵなどの演算処理回路を有し、電話Ｉ／Ｆ部１１を介して電話網４０との間で各種呼制御メッセージをやり取りすることにより、電話回線Ｌ１を用いた発信、着信、音声通話などの呼制御を行う機能と、内線Ｉ／Ｆ部１２を介して内線電話端末３０との間で各種制御コマンドをやり取りすることにより、内線電話端末３０での発信、着信、音声通話などの動作を制御する機能と、電話Ｉ／Ｆ部１１で接続している音声通話路と内線Ｉ／Ｆ部１２で接続している音声通話路とを交換接続する機能とを有している。
【００２４】
また、電話制御部１３は、メールサーバ５１から受信した受信メールのメールアドレスに基づいてメール処理装置２０で特定した、当該受信メールと対応する内線電話端末３０に対して、メール受信表示を指示することにより、当該内線電話端末３０の表示部で、利用者へメールを受信したことを通知するためのメール受信表示を行う機能と、内線電話端末３０からのメール閲覧要求に応じて、受信メールのうちからメール処理装置２０で検索した当該内線電話端末３０と対応するメールアドレスのメールについて、当該メールを含むメール画面表示を指示することにより、当該内線電話端末３０でメールを画面表示する機能とを有している。
【００２５】
メール処理装置２０は、例えば専用の通信回路やＣＰＵなどの処理回路が搭載された電子回路基板からなり、データ通信網５０を介してメールサーバ５１へ接続してメールを受信する機能を有している。
このメール処理装置２０には、主な機能部として、通信Ｉ／Ｆ部２１、設定記憶部２２、メール管理部２３、およびメール蓄積部２４が設けられている。
【００２６】
通信Ｉ／Ｆ部２１は、専用の通信回路を有し、データ通信網５０からの通信回線Ｌ２を介して、メールサーバ５１との間で、各種メッセージやメールをやり取りする機能を有している。
【００２７】
設定記憶部２２は、半導体メモリなどの記憶装置からなり、各内線電話端末３０に対して予め付与された内線電話番号などの固有の端末ＩＤ（端末識別情報）ごとに、当該内線電話端末３０を利用する利用者のメールアドレス、パスワード、メールの取得間隔などのメール管理情報が登録されている設定情報を記憶する機能を有している。
図２は、設定情報の構成例である。ここでは、各内線電話端末３０の内線電話番号からなる端末ＩＤごとに、当該内線電話端末３０の利用者が使用するメールアドレスおよびパスワードと、メール管理部２３からメールサーバ５１へアクセスして当該メールアドレスのメールを取得する取得間隔とが組として登録されている。
【００２８】
メール管理部２３は、プログラムを実行して動作するＣＰＵなどの演算処理回路を有し、通信Ｉ／Ｆ部２１からデータ通信網５０を介してメールサーバ５１へ接続して、設定情報に登録されているメールアドレス宛てのメールを受信する機能と、これら受信メールのメールアドレスと対応する内線電話端末３０を、設定記憶部２２の設定情報に基づき特定する機能と、特定した内線電話端末３０に対するメール受信の通知を電話制御部１３へ指示する機能とを有している。
【００２９】
また、メール管理部２３は、電話制御部１３から通知された、利用者操作に応じて内線電話端末３０から送信されたメール閲覧要求に応じて、受信メールのうちから当該内線電話端末３０と対応するメールアドレスのメールを検索する機能と、検索したメールの当該内線電話端末３０への通知を電話制御部１３へ指示する機能とを有している。
【００３０】
メール蓄積部２４は、ハードディスクや半導体メモリなどの記憶装置からなり、メール管理部２３でメールサーバ５１から受信した受信メールを蓄積する機能を有している。
【００３１】
［第１の実施の形態の動作］
次に、図３を参照して、本実施の形態にかかる電話制御装置１０の動作について説明する。図３は、第１の実施の形態にかかる電話制御装置のメール処理動作を示すシーケンス図である。
ここでは、設定情報に設定されているメール取得間隔に応じて、電話制御装置１０がメールサーバ５１からメールを受信し、メールを受信したことを当該メールと対応する内線電話端末３０へ通知する場合を例として説明する。
【００３２】
メール管理部２３は、設定記憶部２２に記憶されている設定情報を参照して、各メールアドレスの取得間隔に基づくメールの取得契機の到来を確認する。ここで、任意のメールアドレスに関するメールの取得契機が到来した場合（ステップ１００）、メール管理部２３は、設定情報に登録されているメールアドレスおよびパスワードを含む受信要求を、通信Ｉ／Ｆ部２１からデータ通信網５０を介してメールサーバ５１へ送信する（ステップ１０１）。この際、メールの取得契機の到来に代えて、利用者による受信メールの確認要求操作に応じて内線電話端末３０から送信された確認要求に応じて、メール管理部２３からメールサーバ５１へ受信要求を送信してもよい。
【００３３】
メールサーバ５１は、メール管理部２３からの受信要求に応じて、当該受信要求で指定されたメールアドレスとパスワードにより認証処理を行い、認証が得られた場合には、蓄積されているメールのうちから対応するメールアドレス宛のメールを取得する（ステップ１０２）。
この後、メールサーバ５１は、取得したメールを含む受信通知を、データ通信網５０を介してメール管理部２３へ配信する（ステップ１０３）。
【００３４】
メール管理部２３は、通信Ｉ／Ｆ部２１を介してメールサーバ５１からの受信通知によりメールを受信し、メール蓄積部２４へ蓄積する（ステップ１０４）。
続いて、メール管理部２３は、設定記憶部２２に記憶されている設定情報を参照して、受信したメールごとに、当該受信メールの宛先メールアドレスと対応する内線電話端末３０の端末ＩＤを特定し（ステップ１０５）、特定した内線電話端末３０に対するメール受信の通知を電話制御部１３へ指示する（ステップ１０６）。
【００３５】
電話制御部１３は、メール管理部２３からのメール受信通知の指示に応じて、当該指示で指定された端末ＩＤの内線電話端末３０に対して、内線Ｉ／Ｆ部１２から内線回線Ｌ３を介してメール受信表示を指示する（ステップ１０７）。
これにより、当該内線電話端末３０の表示部で、利用者へメールを受信したことを通知するためのメール受信表示が開始される（ステップ１０８）。このメール受信表示については、例えば受信メールの有無を画面表示やＬＥＤの点灯で表示してもよく、受信メール件数を画面表示してもよい。また、受信メールに代えてメール蓄積部２４に蓄積されている未読メールの有無や件数を表示してもよい。
【００３６】
この後、内線電話端末３０でのメール受信表示により、利用者が受信メールの存在に気付いて、当該内線電話端末３０でメールの閲覧要求操作を行った場合（ステップ１１０）、当該内線電話端末３０から内線回線Ｌ３を介して電話制御装置１０へ、自己宛メールの閲覧を要求するためのメール閲覧要求が送信される（ステップ１１１）。
【００３７】
電話制御装置１０の電話制御部１３は、内線Ｉ／Ｆ部１２を介して内線電話端末３０からのメール閲覧要求を受信し、メール管理部２３へ転送する。
メール管理部２３は、このメール閲覧要求に応じて、メール蓄積部２４から当該内線電話端末３０と対応するメールアドレスを持つメールを検索し（ステップ１１２）、検索により得られたメールの当該内線電話端末３０への通知を電話制御部１３へ指示する（ステップ１１３）。
【００３８】
電話制御部１３は、メール管理部２３からのメール通知の指示に応じて、当該指示で指定された内線電話端末３０に対して、内線Ｉ／Ｆ部１２から内線回線Ｌ３を介してメール画面表示を指示する（ステップ１１４）。
これにより、当該内線電話端末３０の表示部で、メールの内容が画面表示される（ステップ１１５）。
【００３９】
また、メール管理部２３は、上記メール閲覧要求に応じて、当該内線電話端末３０に対するメール受信の通知停止の通知を電話制御部１３へ指示する（ステップ１１６）。
電話制御部１３は、メール管理部２３からのメール受信通知停止の指示に応じて、当該指示で指定された端末ＩＤの内線電話端末３０に対して、内線Ｉ／Ｆ部１２から内線回線Ｌ３を介してメール受信通知停止を指示する（ステップ１１７）。
これにより、当該内線電話端末３０の表示部で、メール受信通知の表示が停止される（ステップ１１８）。
【００４０】
この後、内線電話端末３０で、利用者が閲覧したメールの削除要求操作を行った場合（ステップ１２０）、当該内線電話端末３０から内線回線Ｌ３を介して電話制御装置１０へ、当該メールの削除を指示するためのメール削除指示が送信される（ステップ１２１）。
メール管理部２３は、電話制御部１３を介して内線電話端末３０からのメール削除指示を受信した場合、このメール削除指示で指定されたメールを、メール蓄積部２４から削除する（ステップ１２２）。
【００４１】
［第１の実施の形態の効果］
このように、本実施の形態は、電話制御装置１０において、メール管理部２３により、データ通信網５０を介してメールサーバ５１へ接続して、設定情報に予め登録されているメールアドレスへ届いているメールを受信し、これら受信メールのメールアドレスと対応する内線電話端末３０を設定情報に基づき特定し、電話制御部１３により、メール管理部２３で特定した内線電話端末３０に対してメール受信表示を指示することにより、当該内線電話端末３０で利用者へメール受信を通知するためのメール受信表示を行うようにしたものである。
【００４２】
これにより、内線電話端末３０でのメール受信表示により、利用者が自分宛てメールの受信確認を行うことができる。したがって、メール受信確認の際、内線電話端末３０に併設したＰＣ端末に電源を投入してＯＳを立ち上げて、メールサーバ５１に接続する必要がなくなるため、ＯＳの立ち上げに要する時間を待つことなく、メール受信有無を迅速に確認することができる。このため、例えば電話相手との通話途中で、メールの受信確認が必要となった場合でも、相手を待たせて受信確認する必要がなくなる。また、ＰＣ端末を常時起動しておくことも不要となり、省エネを推進することも可能となる。
【００４３】
また、本実施の形態では、メール管理部２３で、内線電話端末３０から利用者操作に応じて送信されたメール閲覧要求に応じて、受信メールのうちから当該内線電話端末３０と対応するメールアドレスのメールを検索し、電話制御部１３で、当該内線電話端末３０に対してメール管理部２３で検索したメールを含むメール画面表示を指示することにより、当該内線電話端末３０でメールを画面表示するようにしたので、メール受信確認だけでなく、受信メールの内容についても内線電話端末３０で閲覧することができる。
【００４４】
［第２の実施の形態］
次に、本発明の第２の実施の形態にかかる電話制御装置１０について説明する。
本実施の形態では、電話制御装置１０の設定記憶部２２で記憶されている設定情報を、内線電話端末３０から設定変更する場合について説明する。
【００４５】
本実施の形態において、電話制御装置１０のメール管理部２３は、内線電話端末３０から利用者操作に応じて送信されたメール設定指示に応じて、設定記憶部２２で記憶されている設定情報のうち当該内線電話端末３０の端末識別情報に対して登録されている、メールアドレス、パスワード、またはメール確認契機を新たに設定登録する機能を有している。
なお、本実施の形態にかかるその他の構成については第１の実施の形態と同様であり、ここでの詳細な説明は省略する。
【００４６】
［第２の実施の形態の動作］
次に、図４を参照して、本実施の形態にかかる電話制御装置１０の動作について説明する。図４は、第２の実施の形態にかかる電話制御装置の設定処理動作を示すシーケンス図である。
ここでは、内線電話端末３０からの設定要求に応じて、電話制御装置１０の設定記憶部２２で記憶されている設定情報を更新する場合を例として説明する。
【００４７】
内線電話端末３０で、利用者が自己のメール管理情報に関する設定変更を行うため設定要求操作を行った場合（ステップ２００）、当該内線電話端末３０から内線回線Ｌ３を介して電話制御装置１０へ、設定変更を行うための設定画面を要求する設定画面要求が送信される（ステップ２０１）。
【００４８】
メール管理部２３は、電話制御部１３を介して内線電話端末３０からの設定画面要求を受信した場合、この設定画面要求で指定された設定画面データを、設定記憶部２２から読み出し（ステップ２０２）、この設定画面データを電話制御部１３を介して当該内線電話端末３０へ送信する（ステップ２０３）。
この設定画面には、例えばメールアドレス、パスワード、またはメール確認契機などのメール管理情報について、新たな値を入力するための入力欄が設けられている。この際、当該内線電話端末３０の端末識別情報に対して設定記憶部２２の設定情報で登録されている各メール管理情報の内容を、メール管理部２３で設定画面に記載して内線電話端末３０へ送信してもよい。
【００４９】
これにより、当該内線電話端末３０の表示部で、設定画面が画面表示される（ステップ２０４）。
内線電話端末３０で、利用者が電話制御装置１０で行われる自己のメール管理に関するメール管理情報、例えばメールアドレス、パスワード、またはメール確認契機などの設定情報に関する設定変更を行うため設定操作を、この設定画面で行った場合（ステップ２１０）、当該内線電話端末３０から内線回線Ｌ３を介して電話制御装置１０へ、当該設定変更を指示するためのメール設定指示が送信される（ステップ２１１）。
【００５０】
メール管理部２３は、電話制御部１３を介して内線電話端末３０からのメール設定指示を受信した場合、設定記憶部２２で記憶されている設定情報のうち、当該内線電話端末３０の端末識別情報に対して登録されている設定情報のうち、このメール設定指示で指定されたメール管理情報を新たに設定登録する（ステップ２１２）。
【００５１】
［第２の実施の形態の効果］
このように、本実施の形態は、電話制御装置１０のメール管理部２３で、内線電話端末３０から利用者操作に応じて送信されたメール設定指示に応じて、設定情報のうち当該内線電話端末３０の端末識別情報に対して登録されている、メールアドレス、パスワード、またはメール確認契機を新たに設定登録するようにしたものである。
これにより、利用者がメール管理情報を変更したい場合には、これらメール管理情報を、自己の内線電話端末３０での操作により、迅速かつ極めて容易に設定変更することができる。
【００５２】
［第３の実施の形態］
次に、図５を参照して、本発明の第３の実施の形態にかかる電話制御装置１０について説明する。図５は、第３の実施の形態にかかる電話制御装置の構成を示すブロック図である。
本実施の形態では、電話制御装置１０のメール管理部２３でメールサーバ５１から受信したメールについてセキュリティ検査を行う場合について説明する。
【００５３】
本実施の形態において、電話制御装置１０のメール処理装置２０に、新たな機能部として、メール管理部２３で受信した受信メールの内容を確認して不正メールを判定するメールチェック処理部２５が追加されている。
メールチェック処理部２５では、受信メールの内容や添付ファイルを検査することにより、ウィルスメール、スパムメール、ジャンクメール、チェーンメールなどの不正メールかどうかを判定する。ここでのメールチェックについては、一般的な公知のメールチェック手法を利用すればよい。
【００５４】
また、電話制御部１３は、受信メールのうちのいずれかのメールがメールチェック処理部で不正メールと判定された場合、メール管理部２３で特定した当該不正メールと対応する内線電話端末３０に対して不正メール受信表示を指示することにより、当該内線電話端末３０で利用者へ不正メール受信を通知するための不正メール受信表示を行う機能を有している。
なお、本実施の形態にかかるその他の構成については第１の実施の形態と同様であり、ここでの詳細な説明は省略する。
【００５５】
［第３の実施の形態の動作］
次に、図６を参照して、本実施の形態にかかる電話制御装置１０の動作について説明する。図６は、第３の実施の形態にかかる電話制御装置のメール処理動作を示すシーケンス図である。
ここでは、設定情報に設定されているメール取得間隔に応じて、電話制御装置１０がメールサーバ５１からメールを受信してメールチェックし、不正メールを受信したことを当該メールと対応する内線電話端末３０へ通知する場合を例として説明する。
【００５６】
メール管理部２３は、設定記憶部２２に記憶されている設定情報を参照して、各メールアドレスの取得間隔に基づくメールの取得契機の到来を確認する。ここで、任意のメールアドレスに関するメールの取得契機が到来した場合（ステップ１００）、メール管理部２３は、設定情報に登録されているメールアドレスおよびパスワードを含む受信要求を、通信Ｉ／Ｆ部２１からデータ通信網５０を介してメールサーバ５１へ送信する（ステップ１０１）。この際、メールの取得契機の到来に代えて、利用者による受信メールの確認要求操作に応じて内線電話端末３０から送信された確認要求に応じて、メール管理部２３からメールサーバ５１へ受信要求を送信してもよい。
【００５７】
メールサーバ５１は、メール管理部２３からの受信要求に応じて、当該受信要求で指定されたメールアドレスとパスワードにより認証処理を行い、認証が得られた場合には、蓄積されているメールのうちから対応するメールアドレス宛のメールを取得する（ステップ１０２）。
この後、メールサーバ５１は、取得したメールを含む受信通知を、データ通信網５０を介してメール管理部２３へ配信する（ステップ１０３）。
【００５８】
メール管理部２３は、通信Ｉ／Ｆ部２１を介してメールサーバ５１からの受信通知によりメールを受信し、これらメールに関するメールチェックをメールチェック処理部２５で実行する（ステップ３００）。
ここで、受信メールに不正メールが含まれていない場合（ステップ３０１：ＮＯ）、前述した図３のステップ１０４へ移行する。
【００５９】
一方、受信メールに不正メールが含まれていた場合（ステップ３０１：ＹＥＳ）、メール管理部２３は、当該不正メールについてメールチェック処理部２５でウィルス駆除などの無害化処理を実行する（ステップ３０２）。この後、メール管理部２３は、当該受信メールが不正メールである旨の文（文章や文字列）を当該受信メールに添付した後（ステップ３０３）、メール蓄積部２４へ蓄積する（ステップ３０４）。
【００６０】
続いて、メール管理部２３は、設定記憶部２２に記憶されている設定情報を参照して、受信した不正メールごとに、当該不正メールの宛先メールアドレスと対応する内線電話端末３０の端末ＩＤを特定し（ステップ３０５）、特定した内線電話端末３０に対する不正メール受信の通知を電話制御部１３へ指示する（ステップ３０６）。
【００６１】
電話制御部１３は、メール管理部２３からの不正メール受信通知の指示に応じて、当該指示で指定された端末ＩＤの内線電話端末３０に対して、内線Ｉ／Ｆ部１２から内線回線Ｌ３を介して不正メール受信表示を指示する（ステップ３０７）。
これにより、当該内線電話端末３０の表示部で、利用者へ不正メールを受信したことを通知するための不正メール受信表示が開始される（ステップ３０８）。この不正メール受信表示については、例えば不正メールの有無を画面表示やＬＥＤの点滅で表示してもよく、不正メール件数を画面表示してもよい。
【００６２】
［第３の実施の形態の効果］
このように、本実施の形態は、電話制御装置１０に、メール管理部２３で受信した受信メールの内容を確認して不正メールを判定するメールチェック処理部２５をさらに備え、電話制御部１３で、受信メールのうちのいずれかのメールがメールチェック処理部２５で不正メールと判定された場合、メール管理部２３で特定した当該不正メールと対応する内線電話端末３０に対して不正メール受信表示を指示することにより、当該内線電話端末３０で利用者へ不正メール受信を通知するための不正メール受信表示を行うようにしたものである。
【００６３】
これにより、内線電話端末３０での不正メール受信表示により、利用者が自分宛て不正メールの受信確認を行うことができる。したがって、不正メール受信確認の際、内線電話端末３０に併設したＰＣ端末に電源を投入してＯＳを立ち上げて、メールサーバ５１に接続する必要がなくなるため、ＯＳの立ち上げに要する時間を待つことなく、不正メール受信有無を迅速に確認することができる。
【００６４】
また、本実施の形態では、不正メールが見つかった場合、当該不正メールをメールチェック処理部２５で無害化した後、メール蓄積部２４へ蓄積するようにしたので、利用者から不正メールについてメール閲覧要求があった場合でも、当該不正メールによるウィルス感染などの被害発生を回避することができる。
【００６５】
［第４の実施の形態］
次に、図７を参照して、本発明の第４の実施の形態にかかる電話制御装置１０について説明する。図７は、第４の実施の形態にかかる電話制御装置の構成を示すブロック図である。
本実施の形態では、電話制御装置１０に接続された利用者端末３１からのメール取得要求に応じて、メールサーバ５１から受信したメールを利用者端末３１へ転送する場合について説明する。
【００６６】
本実施の形態において、電話制御装置１０のメール処理装置２０に、新たな機能部として、有線・無線ＬＡＮ、あるいはブルートゥース（Bluetooth：登録商標）などの通信回線Ｌ４を介して利用者端末３１を接続し、これら利用者端末３１とデータ通信を行う端末Ｉ／Ｆ部２６が追加されている。利用者端末３１は、必要に応じて利用者が利用するものであり、一般的なパーソナルコンピュータのほか、スマートフォン、携帯電話端末、携帯情報端末（ＰＤＡ）などの情報処理端末であってもよい。
【００６７】
また、メール管理部２３は、通信回線Ｌ４を介して接続された利用者端末３１から利用者操作に応じて送信されたメール取得要求に応じて、データ通信網５０を介してメールサーバ５１へ接続し、当該メール取得要求で指定されたメールアドレスへ届いているメールを新たに受信する機能と、これら新たな受信メールとそれまでに受信して蓄積しておいた受信メールのうち当該メールアドレスのメールとを、通信回線Ｌ４を介して当該利用者端末３１へ転送する機能とを有している。
なお、本実施の形態にかかるその他の構成については第１の実施の形態と同様であり、ここでの詳細な説明は省略する。
【００６８】
［第４の実施の形態の動作］
次に、図８を参照して、本実施の形態にかかる電話制御装置１０の動作について説明する。図８は、第４の実施の形態にかかる電話制御装置のメール転送動作を示すシーケンス図である。
ここでは、利用者端末３１からのメール取得要求に応じて、メールサーバ５１から受信したメールを利用者端末３１へ転送する場合について説明する。
【００６９】
内線電話端末３０で、利用者端末３１で利用者が自己のメールの取得を要求する取得要求操作を行った場合（ステップ４００）、当該利用者端末３１から通信回線Ｌ４を介して電話制御装置１０へ、メールの取得を要求する取得要求が送信される（ステップ４０１）。
メール管理部２３は、端末Ｉ／Ｆ部２６を介して利用者端末３１から取得要求を受信した場合、設定記憶部２２に記憶されている設定情報を参照して、取得要求の要求元である利用者端末３１のメールアドレスおよびパスワードを含む受信要求を、通信Ｉ／Ｆ部２１からデータ通信網５０を介してメールサーバ５１へ送信する（ステップ４０２）。
【００７０】
メールサーバ５１は、メール管理部２３からの受信要求に応じて、当該受信要求で指定されたメールアドレスとパスワードにより認証処理を行い、認証が得られた場合には、蓄積されているメールのうちから対応するメールアドレス宛のメールを取得する（ステップ４０３）。
この後、メールサーバ５１は、取得したメールを含む受信通知を、データ通信網５０を介してメール管理部２３へ配信する（ステップ４０４）。
【００７１】
メール管理部２３は、通信Ｉ／Ｆ部２１を介してメールサーバ５１からの受信通知受信通知によりメールを受信し、メール蓄積部２４へ蓄積する（ステップ４０５）。
続いて、メール管理部２３は、取得要求の要求元である利用者端末３１のメールアドレス宛てのメールをメール蓄積部２４から検索し（ステップ４０６）、端末Ｉ／Ｆ部２６から通信回線Ｌ４を介して利用者端末３１へ、これらメールを転送する（ステップ４０７）。この際、メール管理部２３は、例えばメール蓄積部２４から検索した各メールをそれぞれファイル形式に変換して転送すればよい。
【００７２】
利用者端末３１は、電話制御装置１０から転送されたメールを受信して記憶部に保存し（ステップ４０８）、画面表示部で表示する（ステップ４０９）。この際、利用者は、例えばメールソフトなどのアプリケーションを操作して、記憶部に保存されている任意のメールを選択して画面表示すればよい。
【００７３】
この後、電話制御装置１０のメール管理部２３は、設定記憶部２２に記憶されている設定情報を参照して、当該利用者端末３１と対応付けられているメール転送先の内線電話端末３０を特定し（ステップ４２０）、当該内線電話端末３０に対するメール受信の通知停止を電話制御部１３へ指示する（ステップ４２１）。
【００７４】
電話制御部１３は、メール管理部２３からのメール受信通知停止の指示に応じて、当該指示で指定された端末ＩＤの内線電話端末３０に対して、内線Ｉ／Ｆ部１２から内線回線Ｌ３を介してメール受信表示停止を指示する（ステップ４２２）。
これにより、当該内線電話端末３０の表示部で、利用者へメールを受信したことを通知するためのメール受信表示が停止される（ステップ４２３）。  
【００７５】
［第４の実施の形態の効果］
このように、本実施の形態は、電話制御装置１０のメール管理部２３で、通信回線Ｌ４を介して接続された利用者端末３１から利用者操作に応じて送信されたメール取得要求に応じて、データ通信網５０を介してメールサーバ５１へ接続して、当該メール取得要求で指定されたメールアドレスへ届いているメールを新たに受信し、これら新たな受信メールとそれまでに受信して蓄積しておいた受信メールのうち当該メールアドレスのメールとを、通信回線Ｌ４を介して当該利用者端末３１へ転送するようにしたものである。
【００７６】
これにより、内線電話端末３０だけでなく、利用者の利用者端末３１でもメールの内容を確認し保存することができる。したがって、例えばメールにＰＣ用のファイルが添付されている場合には、ＰＣからなる利用者端末３１に転送されたメールから当該ファイルを取得して利用することができる。
【００７７】
また、本実施の形態に第３の実施の形態を適用して、不正メールと判定されたメールについては、電話制御装置１０で無害化した後、利用者端末３１へ転送するようにしてもよい。これにより、不正メールに起因する被害から利用者端末３１を守ることができる。
【００７８】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施の形態については、矛盾しない範囲でそれぞれ任意に組み合わせて実施することができる。
【符号の説明】
【００７９】
１…電話システム、１０…電話制御装置、１１…電話Ｉ／Ｆ部、１２…内線Ｉ／Ｆ部、１３…電話制御部、２０…メール処理装置、２１…通信Ｉ／Ｆ部、２２…設定記憶部、２３…メール管理部、２４…メール蓄積部、２５…メールチェック処理部、２６…端末Ｉ／Ｆ部、３０…内線電話端末、３１…利用者端末、４０…電話網、５０…データ通信網、５１…メールサーバ、Ｌ１…電話回線、Ｌ２…通信回線、Ｌ３…内線回線、Ｌ４…通信回線。
【図１】
2012227698.tif 000003
【図２】
2012227698.tif 000004
【図３】
2012227698.tif 000005
【図４】
2012227698.tif 000006
【図５】
2012227698.tif 000007
【図６】
2012227698.tif 000008
【図７】
2012227698.tif 000009
【図８】
2012227698.tif 000010